(57)【要約】【課題】電子ズーム効果を伴う手ぶれ補正を有するズームカメラで、適切なズーム比表示を行えるようにすること。【解決手段】撮影画像の一部の領域を抽出し、その抽出位置を調整することによって手ぶれ補正画像を生成する手ぶれ補正機能と、上記手ぶれ補正機能の動作時にはその手ぶれ補正機能で補正された手ぶれ補正画像に対して、また、上記手ぶれ補正機能の非動作時には上記撮影画像に対して、その一部の領域を抽出し電子的に拡大してズーム画像を生成する電子ズーム機能によるズーム比をズームバー２００としてオンスクリーン表示するオンスクリーン表示制御機能とを有するデジタルカメラにおいて、上記手ぶれ補正機能の動作時には、上記手ぶれ補正機能の非動作時のズーム比表示に対してその手ぶれ補正処理によるズーム効果の分（デジタルズーム手ぶれ補正領域２０４）を補正したズーム比で表示する。【選択図】      図５
2006128941.tif 000002
【特許請求の範囲】
【請求項１】
撮影画像の一部の領域を抽出し、その抽出位置を調整することによって手ぶれ補正画像を生成する手ぶれ補正手段と、
上記手ぶれ補正手段の動作時にはその手ぶれ補正手段で補正された手ぶれ補正画像に対して、また、上記手ぶれ補正手段の非動作時には上記撮影画像に対して、その一部の領域を抽出し電子的に拡大してズーム画像を生成する電子ズーム手段を有するズーム手段と、
上記ズーム手段によるズーム比を表示するズーム表示手段と、
を具備し、
上記ズーム表示手段は、上記手ぶれ補正手段の動作時には、上記手ぶれ補正手段の非動作時のズーム比表示に対してその手ぶれ補正処理によるズーム効果の分を補正したズーム比で表示する、
ことを特徴とするカメラ。
【請求項２】
上記ズーム表示手段は、
ズーム比の範囲をバーグラフで表示するものであって、
上記手ぶれ補正手段の動作時には、上記手ぶれ補正手段の非動作時に表示される上記バーグラフの長さから、その手ぶれ補正処理によるズーム効果の分、短くして表示する、
ことを特徴とする請求項１に記載のカメラ。
【請求項３】
上記ズーム手段は、光学ズーム手段を含み、
上記ズーム表示手段は、
上記光学ズーム手段での光学ズームによるズーム範囲と上記電子ズーム手段での電子ズームによるズーム範囲とを区別可能な連続したバーグラフで表示し、
上記電子ズーム手段での電子ズームによるズーム範囲の長さを、上記光学ズーム手段での光学ズームによるズーム範囲の長さよりも短く表示する、
ことを特徴とする請求項２に記載のカメラ。
【請求項４】
撮影画像の一部の領域を抽出しその抽出位置を調整することによって手ぶれ補正画像を生成する手ぶれ補正手段の動作時には、その手ぶれ補正手段で補正された手ぶれ補正画像に対して、また、上記手ぶれ補正手段の非動作時には上記撮影画像に対して、その一部の領域を抽出し電子的に拡大してズーム画像を生成する電子ズーム手段によるズーム比を表示するズーム比表示方法であって、
上記手ぶれ補正手段の動作時には、上記手ぶれ補正手段の非動作時のズーム比表示に対してその手ぶれ補正処理によるズーム効果の分を補正したズーム比で表示する、
ことを特徴とするズーム比表示方法。
【請求項５】
撮影画像の一部の領域を抽出しその抽出位置を調整することによって手ぶれ補正画像を生成する手ぶれ補正手段の動作時には、その手ぶれ補正手段で補正された手ぶれ補正画像に対して、また、上記手ぶれ補正手段の非動作時には上記撮影画像に対して、その一部の領域を抽出し電子的に拡大してズーム画像を生成する電子ズーム手段によるズーム比を表示するズーム比表示方法をコンピュータに実行させるためのプログラムであって、
上記ズーム比表示方法は、上記手ぶれ補正手段の動作時には、上記手ぶれ補正手段の非動作時のズーム比表示に対してその手ぶれ補正処理によるズーム効果の分を補正したズーム比で表示するものである、
ことを特徴とするプログラム。
【発明の詳細な説明】
【技術分野】
【０００１】
本発明は、手ぶれ補正機能と電子ズーム機能を有するカメラ、及び、そのようなカメラにおけるズーム比の表示方法に関する。また本発明は、そのようなズーム比表示方法をコンピュータに実行させるためのプログラムに関する。
【背景技術】
【０００２】
撮影時に手ぶれが有ると、その撮影画像の再生時に画像がゆれて見づらくなるので、手ぶれの発生を防止する技術が種々開発されている。
【０００３】
その一つに、例えば特許文献１に開示されているようなＣＣＤ切り出し方式と呼ばれる手ぶれ補正技術がある。その原理は、ＣＣＤで撮像可能な全体サイズよりも一回り小さなサイズを被写体領域にし、被写体の移動に合わせて、被写体領域をその全体サイズ内部で移動させて、見かけ上被写体が画面の一定位置にあるようにする技術である。
【０００４】
そして、そのような手ぶれ補正機能と電子ズーム機能を備えたビデオカメラが、例えば特許文献２に開示されている。
【０００５】
一方、電子ズームビューファインダ上で、光学ズームと電子ズームの倍率を連続したバーで表示させるカメラが例えば特許文献３に提案されている。
【特許文献１】特開昭６１−１９８８７９号公報
【特許文献２】特開平６−４６３１７号公報
【特許文献３】特開平５−２６０３５３号公報
【発明の開示】
【発明が解決しようとする課題】
【０００６】
上記特許文献２でも、手ぶれ補正機能が一定倍率の電子ズームに相当することが記載されているが、その効果とズーム表示の関係については記載されていない。
【０００７】
上記特許文献１に開示されたような電子手ぶれ補正（ＣＣＤ画素切り出し方式）は、ＣＣＤの切り出し画素領域をカメラの手ぶれに合わせて変更することによって、手ぶれの補正を行うが、その原理上、通常の撮影モードに比べてＣＣＤの使用領域を変える（電子ズームをかけた状態にする）ことが必要である。この時、ユーザは、従来の通常モードと同様に光学ズームを操作するし、その先の電子ズームも操作するが、例えば上記特許文献３のような従来の表示では、電子ズームがかけられたことが判らず、誤った使い方をされる可能性が大きくなる。
【０００８】
即ち、電子手ぶれ補正（ＣＣＤ画素切り出し方式）の場合、この手ぶれ補正機能をＯＮにする事によって、被写体の倍率が変わることになってしまう（電子ズームがかかった状態になってしまう）ので、この時、ズーム倍率の表示を従来と変えないと、ユーザに混乱を与えてしまう。
【０００９】
本発明は、上記の点に鑑みてなされたもので、電子ズーム効果を伴う手ぶれ補正を有するズームカメラで、適切なズーム比表示を行うことが可能なカメラ、そのズーム比表示方法、及びプログラムを提供することを目的とする。
【課題を解決するための手段】
【００１０】
本発明のカメラの一態様は、撮影画像の一部の領域を抽出し、その抽出位置を調整することによって手ぶれ補正画像を生成する手ぶれ補正手段と、
上記手ぶれ補正手段の動作時にはその手ぶれ補正手段で補正された手ぶれ補正画像に対して、また、上記手ぶれ補正手段の非動作時には上記撮影画像に対して、その一部の領域を抽出し電子的に拡大してズーム画像を生成する電子ズーム手段を有するズーム手段と、
上記ズーム手段によるズーム比を表示するズーム表示手段と、
を具備し、
上記ズーム表示手段は、上記手ぶれ補正手段の動作時には、上記手ぶれ補正手段の非動作時のズーム比表示に対してその手ぶれ補正処理によるズーム効果の分を補正したズーム比で表示する、
ことを特徴とする。
【００１１】
また、本発明のズーム比表示方法の一態様は、撮影画像の一部の領域を抽出しその抽出位置を調整することによって手ぶれ補正画像を生成する手ぶれ補正手段の動作時には、その手ぶれ補正手段で補正された手ぶれ補正画像に対して、また、上記手ぶれ補正手段の非動作時には上記撮影画像に対して、その一部の領域を抽出し電子的に拡大してズーム画像を生成する電子ズーム手段によるズーム比を表示するズーム比表示方法であって、
上記手ぶれ補正手段の動作時には、上記手ぶれ補正手段の非動作時のズーム比表示に対してその手ぶれ補正処理によるズーム効果の分を補正したズーム比で表示する、
ことを特徴とする。
【００１２】
また、本発明のプログラムの一態様は、撮影画像の一部の領域を抽出しその抽出位置を調整することによって手ぶれ補正画像を生成する手ぶれ補正手段の動作時には、その手ぶれ補正手段で補正された手ぶれ補正画像に対して、また、上記手ぶれ補正手段の非動作時には上記撮影画像に対して、その一部の領域を抽出し電子的に拡大してズーム画像を生成する電子ズーム手段によるズーム比を表示するズーム比表示方法をコンピュータに実行させるためのプログラムであって、
上記ズーム比表示方法は、上記手ぶれ補正手段の動作時には、上記手ぶれ補正手段の非動作時のズーム比表示に対してその手ぶれ補正処理によるズーム効果の分を補正したズーム比で表示するものである、
ことを特徴とする。
【発明の効果】
【００１３】
本発明によれば、電子ズーム効果を伴う手ぶれ補正を有するズームカメラで、適切なズーム比表示を行うことが可能なカメラ、そのズーム比表示方法、及びプログラムを提供することができる。
【発明を実施するための最良の形態】
【００１４】
以下、本発明を実施するための最良の形態を図面を参照して説明する。
【００１５】
図１は本発明の一実施形態に係るカメラとしてのデジタルカメラの構成を示す図である。
【００１６】
即ち、このデジタルカメラ１０においては、レンズ１２を通った光がＣＣＤ１４で露光され、撮像回路１６で電気信号として取り出されて、Ａ／Ｄ変換回路１８でデジタルデータに変換される。そして、補正回路２０にてガンマ補正等の記録に必要な各種補正がかけられた後、フレームメモリ２２にデジタル画像データ（ＲＡＷデータ）として記録される。ＣＰＵ２４は、フレームメモリコントロール機能２４Ａ、記録媒体アクセス機能２４Ｂ、画像圧縮機能２４Ｃ、及び画像伸長機能２４Ｄを持ち、このＣＰＵ２４によって、上記フレームメモリ２２に記録されたＲＡＷデータを、一旦ＹＵＶデータに変換した後、ＪＰＥＧデータに圧縮する。そして、そのＪＰＥＧデータを、記録バッファ２６及び記録媒体Ｉ／Ｆ２８を介して記録媒体３０に保存記録する。
【００１７】
こうして、上記記録媒体３０に保存記録されたＪＰＥＧデータは、上記ＣＰＵ２４によって、上記記録媒体３０から上記記録媒体Ｉ／Ｆ２８及び記録バッファ２６を介して読み出され、上記フレームメモリ２２に一旦書き込まれる。そして、上記ＣＰＵ２４は、このフレームメモリ２２に書き込んだＪＰＥＧデータを読み出し、それを伸長してＹＵＶデータにし、更に表示に適したサイズにリサイズした上で、再び上記フレームメモリ２２に記憶させた後、ＦＩＦＯメモリ３２に書き込んでいくことで、それをオンスクリーン回路３４を介してＴＦＴ液晶駆動回路３６及びビデオ出力回路３８に供給する。ここで、オンスクリーン回路３４とは、画像上に文字や記号、マーク等を重畳させて、表示用データを作成するものである。上記ＴＦＴ液晶駆動回路３６は、その供給された表示用データを、バックライトユニット４０で照明されたＴＦＴパネル４２に表示する。また、上記ビデオ出力回路３８は、その供給された表示用データをビデオ出力端子４４を通して外部出力することで、該ビデオ出力端子４４に接続されたテレビ等に表示する。
【００１８】
また、レリーズ操作が行われる前の所謂モニタ画像を上記ＴＦＴパネル４２に出力する機能も備えている。これは、上記ＣＣＤ１６の全画素データを利用するのではなく、間引いて読み出したＲＡＷデータをフレームメモリ２２に一時記憶し、それをＹＵＶデータに変換した後にＴＦＴパネル４２のサイズ（画素数、アスペクト）にリサイズして、上記ＦＩＦＯメモリ３２に書き込んでいく。この動作を、例えば秒３０フレーム行うことで、上記ＴＦＴパネル４２をファインダとして利用できるようになる。
【００１９】
また、上記間引いて読み出したＲＡＷデータから変換したＹＵＶデータを複数フレーム分用いてモーションＪＰＥＧ等の所定の動画像圧縮方式で圧縮することで、動画像データとして記録媒体３０に保存記録することも可能である。
【００２０】
なお、上記記録媒体３０に記録されたＪＰＥＧデータは、上記ＣＰＵ２４によって、上記記録媒体３０から上記記録媒体Ｉ／Ｆ２８及び記録バッファ２６を介して読み出され、上記フレームメモリ２２に一旦書き込まれる。そして、このフレームメモリ２２に書き込まれた当該ＪＰＥＧデータを読み出して伸長し、再び上記フレームメモリ２２に記憶させた後、上記ＦＩＦＯメモリ３２に書き込むことで、上記ＴＦＴパネル４２やテレビ等に表示させることができる。
【００２１】
また、ＬＣＤパネル４６は、このデジタルカメラ１０の動作モード等の各種情報を表示するための表示部であり、ＬＣＤ表示回路４８はそのコントロール回路である。キーマトリクス５０は、レリーズキー、十字キー、モードキー等を含む操作部材である。外部データＩ／Ｆ５２は、不図示のＵＳＢケーブルによって接続された不図示のパソコン等とデータのやりとりを行うためのインタフェースであり、接続検出手段５４は、ＵＳＢケーブルの上記外部データＩ／Ｆへの接続を検出するものである。
【００２２】
ＥＥＰＲＯＭ（フラッシュＲＯＭ）５６は、該デジタルカメラ１０の調整データや、デジタルカメラの制御処理や後述する動画電子手ぶれ補正機能をＣＰＵ７６に実行させるためのプログラムを記憶したメモリである。
【００２３】
アクチュエータ５８は、ズームモータ（ズームカメラの場合）、ＡＦモータ、シャッタ、絞り等を含み、アクチュエータ駆動回路６０は、その駆動回路である。レンズバリア開閉検出回路６２は、レンズ１２の前面に配され、例えば電源スイッチとして機能するバリア（図示せず）の開閉状態を検出するためのものである。
【００２４】
電池６４は、単三電池やリチウムイオン電池であり、電池状態検出回路６６は、該電池６４の状態を検出するものである。この電池状態検出回路６６の検出結果により、例えば電池がなくなってきたときに上記ＬＣＤパネル４６に電池残量警告を出すことが可能になる。電源回路６８は、上記電池６４を元に当該デジタルカメラ１０全体の電源を生成するものであり、バックアップ電源７０は、日付情報等を保持しておくためのものである。
【００２５】
ストロボ７２は、撮影時に被写体を照明するための閃光照明装置であり、ストロボ駆動回路７４は、そのストロボ７２を発光させるための回路である。
【００２６】
ＣＰＵ７６は、ＥＥＰＲＯＭ５６に記憶されたプログラムを読み込んで実行することで、当該デジタルカメラ１０全体を制御するためのシステムコントロール機能７６Ａを提供するものである。このシステムコントロール機能７６Ａは、動画電子手ぶれ補正機能７６Ａ１、オンスクリーン表示制御機能７６Ａ２等を含む。
【００２７】
ここで、上記動画電子手ぶれ補正機能７６Ａ１は、上記特許文献１に開示されているようなＣＣＤ画素切り出し方式で手ぶれを補正する機能である。即ち、これは、ＣＣＤ１４が、図２に実線で示すように例えば１２００×１６００画素の画素領域１００を有する場合に、同図に破線で示すようにそれよりも小さな例えば９６０×１２８０画素分の画像切り出し領域１０１を用いるものである。このとき、手ぶれにより、被写体１０２に対し同図に点線で示すように画角が移動する。そこで、上記画像切り出し領域１０１を、その手ぶれに合わせて変更することによって、被写体１０２の位置が移動しないように補正を行う。
【００２８】
また、上記オンスクリーン表示制御機能７６Ａ２は、上記オンスクリーン回路３４を制御して文字や記号、マークをＴＦＴパネル４２に表示させる制御を行う機能である。ここで、図３は、その表示例を示す図であり、モニタ画像上に、撮影モードを示す文字や焦点位置を示すマークと共に、光学ズームと電子ズームの倍率を連続したバーで示したズームバー２００を表示させている。
【００２９】
なお、上記ＣＰＵ２４は、特に図示はしていないが、上記ＣＰＵ７６のシステムコントロール機能７６Ａにおける上記手ぶれ補正機能７６Ａ１の動作時にはその手ぶれ補正機能７６Ａ１で補正された手ぶれ補正画像に対して、また、上記手ぶれ補正機能７６Ａ１の非動作時には上記撮影画像に対して、その一部の領域を抽出し電子的に拡大してズーム画像を生成する電子ズーム機能を備えているものとする。
【００３０】
図４は、本一実施形態におけるＣＰＵ７６のシステムコントロール機能７６Ａの動作フローチャートである。即ち、デジタルカメラ１０の不図示レンズバリアが開けられて電源ＯＮすると、まず、キーマトリクス５０の不図示モードキーによる動画手ぶれ補正機能のＯＮ／ＯＦＦ操作を受け付ける（ステップＳ１１）。
【００３１】
ここで、動画手ぶれ補正機能ＯＮ操作がなされた場合には（ステップＳ１２）、動画電子手ぶれ補正機能７６Ａ１をＯＮにし（ステップＳ１３）、また、オンスクリーン表示を、動画電子手ぶれ表示状態へ変更する（ステップＳ１４）。そしてその後、撮影待機状態となる。
【００３２】
これに対して、動画電子手ぶれ補正機能ＯＦＦ操作がなされた場合には（ステップＳ１２）、動画電子手ぶれ補正７６Ａ１をＯＦＦ処理にし（ステップＳ１５）、また、オンスクリーン表示を、通常状態へ変更する（ステップＳ１６）。そしてその後、撮影待機状態となる。
【００３３】
上記ステップＳ１６で設定された通常状態のオンスクリーン表示では、上記ズームバー２００は、図５（Ａ）に示すように、光学ズーム領域２０１とデジタルズーム領域２０２とに分割され、色を変える等により視覚的に区別可能な表示形態でオンスクリーン表示される。ここで、光学ズーム領域２０１は、アクチュエータ５８によりレンズ１２を駆動することで光学的に倍率を変更可能な領域を表しており、デジタルズーム領域２０２は、レンズ１２の望遠端位置において、撮影画像の一部の領域を抽出し電子的に拡大することで倍率を変更可能な領域を表している。そして、スライドバー２０３が、現在のズーム倍率に合わせて、上記ズームバー２００上を移動するように表示される。
【００３４】
また、上記ステップＳ１４で設定された動画電子手ぶれ表示状態のオンスクリーン表示では、上記ズームバー２００は、図５（Ｂ）に示すように、光学ズーム領域２０１の下側にデジタルズーム手ぶれ補正領域２０４を表示するようにしている。即ち、電子手ぶれ補正（ＣＣＤ画素切り出し方式）の場合、この手ぶれ補正機能をＯＮにする事によって、電子ズームがかかった状態になってしまう。そこで、本実施形態では、そのズーム効果の分を補正してズーム比を表示する。このように、手ぶれ処理によるズーム効果を反映させて適切なズーム比表示を行うことで、ユーザは正確なズーム比を把握することができる。
【００３５】
なおこの場合、手ぶれ補正機能ＯＮ時には、その手ぶれ補正処理によるズーム効果の分、つまりデジタルズーム手ぶれ補正領域２０４の分、光学ズーム領域２０１とデジタルズーム領域２０２とを合わせた長さを、手ぶれ補正機能ＯＦＦ時に表示される長さよりも短く表示することとなり、スライドバー２０３は、光学ズーム領域２０１とこの短くなったデジタルズーム領域２０２との上を移動する。このように、手ぶれ補正処理分短くなっていることで、電子ズームが既にされていることが、視覚的に一目で判るようになる。
【００３６】
また、デジタルズーム領域２０２の長さを光学ズーム領域２０１の長さよりも短く表示するようにしている。従って、手ぶれ処理分で電子ズームが既にされていることをユーザが容易に判別できるようになる。
【００３７】
以上のように、本実施形態では、動画電子手ぶれ補正機能７６Ａ１のＯＮ／ＯＦＦでズームバー２００の表示を変更することによって、ユーザに判り易いズーム表示を提供することができる。即ち、手ぶれ補正処理によって電子ズームがかかっていることを視覚的に判り易く表示することが可能となる。
【００３８】
また、上記実施形態は、プログラムに従ったＣＰＵ７６の制御処理によって実現されるが、つまりこれは上記プログラム自体が上述した実施形態の機能を実現することになり、このプログラム自体が本発明を構成する。
【００３９】
そして、これらのプログラムは前述のＥＥＰＲＯＭ５６以外の記録媒体の形式でも良く、カメラに着脱可能な記録媒体に格納されても良い。記録媒体としては、フロッピー（登録商標）ディスク、ＣＤ−ＲＯＭの他にも、ＤＶＤ等の光学記録媒体、ＭＤ等の磁気記録媒体、テープ媒体、ＩＣカード等の半導体メモリ等を用いることができる。そして、このプログラムが記憶された記録媒体も本発明を構成する。
【００４０】
また、専用通信ネットワークやインターネットに接続されたサーバシステムに設けたハードディスク又はＲＡＭ等の格納装置を記録媒体として使用し、通信網を介してプログラムをカメラに提供しても良い。
【００４１】
或いは、他のアプリケーションソフト等と共同して上述の実施形態の機能が実現される場合にも、かかるプログラムが本発明の実施形態に含まれることは言うまでもない。
【００４２】
なお、本実施形態では、プログラムをＣＰＵ上で実行して実現するものとしているが、これに限られることはなく、例えば、ハードウェアにより実現するようにしても良い。
【００４３】
以上実施形態に基づいて本発明を説明したが、本発明は上述した実施形態に限定されるものではなく、本発明の要旨の範囲内で種々の変形や応用が可能なことは勿論である。
【００４４】
例えば、上記一実施形態は、ズーム機能として光学ズーム機能と電子ズーム機能の両方を備えるカメラを例に説明したが、電子ズーム機能しか持たないカメラにおいても同様に適用可能なことは勿論である。
【００４５】
（付記）
前記の具体的実施形態から、以下のような構成の発明を抽出することができる。
【００４６】
（１）  撮影画像の一部の領域を抽出し、その抽出位置を調整することによって手ぶれ補正画像を生成する手ぶれ補正手段と、
上記手ぶれ補正手段の動作時にはその手ぶれ補正手段で補正された手ぶれ補正画像に対して、また、上記手ぶれ補正手段の非動作時には上記撮影画像に対して、その一部の領域を抽出し電子的に拡大してズーム画像を生成する電子ズーム手段を有するズーム手段と、
上記ズーム手段によるズーム比を表示するズーム表示手段と、
を具備し、
上記ズーム表示手段は、上記手ぶれ補正手段の動作時には、上記手ぶれ補正手段の非動作時のズーム比表示に対してその手ぶれ補正処理によるズーム効果の分を補正したズーム比で表示する、
ことを特徴とするカメラ。
【００４７】
（実施形態との対応）
一実施形態において、動画電子手ぶれ補正機能７６Ａ１が上記手ぶれ補正手段に、ＣＰＵ２４及びシステムコントロール機能７６Ａが上記電子ズーム手段に、レンズ１２，ＣＰＵ２４，アクチュエータ５８及びシステムコントロール機能７６Ａが上記ズーム手段に、ＴＦＴパネル４２及びオンスクリーン表示制御機能７６Ａ２が上記ズーム表示手段に、それぞれ対応する。
【００４８】
（作用効果）
この（１）に記載のカメラによれば、手ぶれ処理によるズーム効果を反映させて適切なズーム比表示を行うことができ、よって、ユーザは正確なズーム比を把握することができる。
【００４９】
（２）  上記ズーム表示手段は、
ズーム比の範囲をバーグラフで表示するものであって、
上記手ぶれ補正手段の動作時には、上記手ぶれ補正手段の非動作時に表示される上記バーグラフの長さから、その手ぶれ補正処理によるズーム効果の分、短くして表示する、
ことを特徴とする（１）に記載のカメラ。
【００５０】
（実施形態との対応）
一実施形態において、ズームバー２００が上記バーグラフに、デジタルズーム手ぶれ補正領域２０４が上記手ぶれ補正処理によるズーム効果の分に、それぞれ対応する。
【００５１】
（作用効果）
この（２）に記載のカメラによれば、手ぶれ補正処理分短く表示されることで電子ズームが既にされていることが、視覚的に一目で判るようになる。
【００５２】
（３）  上記ズーム手段は、光学ズーム手段を含み、
上記ズーム表示手段は、
上記光学ズーム手段での光学ズームによるズーム範囲と上記電子ズーム手段での電子ズームによるズーム範囲とを区別可能な連続したバーグラフで表示し、
上記電子ズーム手段での電子ズームによるズーム範囲の長さを、上記光学ズーム手段での光学ズームによるズーム範囲の長さよりも短く表示する、
ことを特徴とする（２）に記載のカメラ。
【００５３】
（実施形態との対応）
一実施形態において、レンズ１２，アクチュエータ５８及びシステムコントロール機能７６Ａが上記光学ズーム手段に、光学ズーム領域２０１が上記光学ズームによるズーム範囲に、デジタルズーム領域２０２が上記電子ズームによるズーム範囲に、それぞれ対応する。
【００５４】
（作用効果）
この（３）に記載のカメラによれば、光学ズームと電子ズーム併用タイプのカメラでも、手ぶれ処理分で電子ズームが既にされていることが判るようになる。
【００５５】
（４）  撮影画像の一部の領域を抽出しその抽出位置を調整することによって手ぶれ補正画像を生成する手ぶれ補正手段の動作時には、その手ぶれ補正手段で補正された手ぶれ補正画像に対して、また、上記手ぶれ補正手段の非動作時には上記撮影画像に対して、その一部の領域を抽出し電子的に拡大してズーム画像を生成する電子ズーム手段によるズーム比を表示するズーム比表示方法であって、
上記手ぶれ補正手段の動作時には、上記手ぶれ補正手段の非動作時のズーム比表示に対してその手ぶれ補正処理によるズーム効果の分を補正したズーム比で表示する、
ことを特徴とするズーム比表示方法。
【００５６】
（作用効果）
この（４）に記載のズーム比表示方法によれば、手ぶれ処理によるズーム効果を反映させて適切なズーム比表示を行うことができ、よって、ユーザは正確なズーム比を把握することができる。
【００５７】
（５）  撮影画像の一部の領域を抽出しその抽出位置を調整することによって手ぶれ補正画像を生成する手ぶれ補正手段の動作時には、その手ぶれ補正手段で補正された手ぶれ補正画像に対して、また、上記手ぶれ補正手段の非動作時には上記撮影画像に対して、その一部の領域を抽出し電子的に拡大してズーム画像を生成する電子ズーム手段によるズーム比を表示するズーム比表示方法をコンピュータに実行させるためのプログラムであって、
上記ズーム比表示方法は、上記手ぶれ補正手段の動作時には、上記手ぶれ補正手段の非動作時のズーム比表示に対してその手ぶれ補正処理によるズーム効果の分を補正したズーム比で表示するものである、
ことを特徴とするプログラム。
【００５８】
（作用効果）
この（５）に記載のプログラムによれば、手ぶれ処理によるズーム効果を反映させて適切なズーム比表示を行うことができ、よって、ユーザは正確なズーム比を把握することができる。
【図面の簡単な説明】
【００５９】
【図１】図１は本発明の一実施形態に係るカメラとしてのデジタルカメラの構成を示す図である。
【図２】図２はＣＣＤ画素切り出し方式の手ぶれ補正を説明するためのＣＣＤの画素領域と画像切り出し領域とを示す図である。
【図３】図３はズームバーのオンスクリーン表示の例を示す図である。
【図４】図４はＣＰＵのシステムコントロール機能の動作フローチャートを示す図である。
【図５】図５（Ａ）は通常状態のオンスクリーン表示でのズームバーとズームレンズの位置との関係を示す図であり、図５（Ｂ）は動画電子手ぶれ表示状態のオンスクリーン表示でのズームバーとズームレンズの位置との関係を示す図である。
【符号の説明】
【００６０】
１０…デジタルカメラ、  １２…レンズ、  １４…ＣＣＤ、  １６…撮像回路、  １８…Ａ／Ｄ変換回路、  ２０…補正回路、  ２２…フレームメモリ、  ２４…ＣＰＵ、  ２４Ａ…フレームメモリコントロール機能、  ２４Ｂ…記録媒体アクセス機能、  ２４Ｃ…画像圧縮機能、  ２４Ｄ…画像伸長機能、  ２６…記録バッファ、  ２８…記録媒体Ｉ／Ｆ、  ３０…記録媒体、  ３２…ＦＩＦＯメモリ、  ３４…オンスクリーン回路、  ３６…ＴＦＴ液晶駆動回路、  ３８…ビデオ出力回路、  ４０…バックライトユニット、  ４２…ＴＦＴパネル、  ４４…ビデオ出力端子、  ４６…ＬＣＤパネル、  ４８…ＬＣＤ表示回路、  ５０…キーマトリクス、  ５２…外部データＩ／Ｆ、  ５４…接続検出手段、  ５６…ＥＥＰＲＯＭ（フラッシュＲＯＭ）、  ５８…アクチュエータ、  ６０…アクチュエータ駆動回路、  ６２…レンズバリア開閉検出回路、  ６４…電池、  ６６…電池状態検出回路、  ６８…電源回路、  ７０…バックアップ電源、  ７２…ストロボ、  ７４…ストロボ駆動回路、  ７６…ＣＰＵ、  ７６Ａ…システムコントロール機能、  ７６Ａ１…動画電子手ぶれ補正機能、  ７６Ａ２…オンスクリーン表示制御機能、  １００…画素領域、  １０１…画像切り出し領域、  １０２…被写体、  ２００…ズームバー、  ２０１…光学ズーム領域、  ２０２…デジタルズーム領域、  ２０３…スライドバー、  ２０４…デジタルズーム手ぶれ補正領域。
【図１】
2006128941.tif 000003
【図２】
2006128941.tif 000004
【図３】
2006128941.tif 000005
【図４】
2006128941.tif 000006
【図５】
2006128941.tif 000007